(57)【要約】【課題】耐衝撃性および組立て性を向上させることができると共に、ケース再利用率（リユース率）を向上させる格納ケースおよび格納ケースの組立方法を提供する。【解決手段】第１ケース２５と第２ケース２６とを接合して成る２分割構造の格納ケース２７において、第１ケース２５は、その接合端面５４ａに貫通形成した第１接合孔６０を有し、第２ケース２６は、その接合端面５４ｂに第１接合孔６０と同軸上に貫通形成した第２接合孔６１を有し、第１接合孔６０および第２接合孔６１には、第１ケース２５と第２ケース２６とを接合すると共に弾性材で構成された接合ピン５６が、圧接状態で装填されている。【選択図】図３
2007308171.tif 000002
【特許請求の範囲】
【請求項１】
第１ケースと第２ケースとを接合して成る２分割構造の格納ケースにおいて、
前記第１ケースは、その接合端面に貫通形成した第１接合孔を有し、
前記第２ケースは、その接合端面に前記第１接合孔と同軸上に貫通形成した第２接合孔を有し、
前記第１接合孔および前記第２接合孔には、前記第１ケースと前記第２ケースとを接合すると共に弾性材で構成された接合ピンが、圧接状態で装填されていることを特徴とする格納ケース。
【請求項２】
前記接合ピンは、前記第１接合孔および前記第２接合孔に対し離脱可能に装填されていることを特徴とする請求項１に記載の格納ケース。
【請求項３】
前記接合ピンは、前記接合端面同士を突き合わせた前記第１ケースおよび前記第２ケースの前記第１接合孔および前記第２接合孔に対し、軸方向に直交する方向から装填されるようになっており、
前記第１接合孔は、周面の一部が軸方向に沿ってケース外部に開放されるように前記第１ケースに切欠き形成した第１装填開口を有し、
前記第２接合孔は、周面の一部が軸方向に沿ってケース外部に開放されるように且つ前記第１装填開口に合致するように前記第２ケースに切欠き形成した第２装填開口を有していることを特徴とする請求項１または２に記載の格納ケース。
【請求項４】
前記接合ピンは、前記接合端面同士を突き合わせた前記第１ケースおよび前記第２ケースの前記第１接合孔および前記第２接合孔に対し、軸方向に先端から装填されるようになっており、
前記接合ピンは、その軸心に、装填用治具が挿入される共に先端近傍まで延びる有底の治具受け穴を有していることを特徴とする請求項１または２に記載の格納ケース。
【請求項５】
請求項３に記載の格納ケースの組立方法であって、
前記第１接合孔と前記第２接合孔とが合致するように第１ケースと第２ケースとを突合せる位置合わせ工程と、
前記接合ピンを細長に伸張させる伸張工程と、
伸張させた前記接合ピンを、前記第１装填開口および前記第２装填開口を介して前記第１接合孔および前記第２接合孔に遊挿する遊挿工程と、
遊挿した前記接合ピンの前記伸張状態を解除し、前記接合ピンを前記第１接合孔および前記第２接合孔に圧接させる装填工程と、を備えたことを特徴とする格納ケースの組立方法。
【請求項６】
請求項３に記載の格納ケースの組立方法であって、
前記第１接合孔と前記第２接合孔とが合致するように第１ケースと第２ケースとを突合せる位置合わせ工程と、
前記接合ピンを、前記第１装填開口および前記第２装填開口を介して前記第１接合孔および前記第２接合孔に押し入れる装填工程と、を備えたことを特徴とする格納ケースの組立方法。
【請求項７】
請求項４に記載の格納ケースの組立方法であって、
前記第１接合孔と前記第２接合孔とが合致するように第１ケースと第２ケースとを突合せる位置合わせ工程と、
前記装填用治具を前記接合ピンの前記治具受け穴に挿入し、この状態で前記装填用治具により、前記接合ピンを前記第１接合孔および前記第２接合孔に軸方向から圧入する装填工程と、を備えたことを特徴とする格納ケースの組立方法。
【発明の詳細な説明】
【技術分野】
【０００１】
本発明は、第１ケースと第２ケースとを接合して成る２分割構造の格納ケースおよび格納ケースの組立方法に関するものである。
【背景技術】
【０００２】
従来、この種の格納ケースとして、上ケースおよび下ケースを接合して成り、内部に印刷テープおよびインクリボンを収容する格納ケース（カートリッジケース）が知られている（特許文献１参照）。上ケースの接合端面には、複数の圧入ピンが一体形成され、また、下ケースの接合端面には、各圧入ピンに対応するように複数の圧入孔が形成されている。上ケースと下ケースとは、各圧入孔に各圧入ピンを圧入することで組み立てられる。
【特許文献１】特開２００２−５３２４９２号公報
【発明の開示】
【発明が解決しようとする課題】
【０００３】
しかしながら、上記の従来の格納ケースでは、成形条件等によって圧入孔に対し圧入ピンがゆるめに成形されることがあり、かかる場合には、落下の衝撃等により、圧入孔から圧入ピンが微小に抜け出して上下両ケースの間に間隙が生じたり、圧入ピンの根元の部分が折れたりしてしまう問題があった。一方、圧入孔に対し圧入ピンがきつめに成形されると、圧入孔に圧入ピンが無理やり圧入されることになり、圧入孔廻りに白化（組織破壊）が生じたり、クラックが生ずるなどの問題があった。さらに、これらの問題を解決するために、ケース成型の金型の微調整（修正）が必要となり、金型の変更を頻繁にしなくてはならないという問題もあった。
【０００４】
本発明は、耐衝撃性および組立て性を向上させると共に、ケース再利用率（リユース率）を向上させることができる格納ケースおよび格納ケースの組立方法を提供することを課題とする。
【課題を解決するための手段】
【０００５】
本発明の格納ケースは、第１ケースと第２ケースとを接合して成る２分割構造の格納ケースにおいて、第１ケースは、その接合端面に貫通形成した第１接合孔を有し、第２ケースは、その接合端面に第１接合孔と同軸上に貫通形成した第２接合孔を有し、第１接合孔および第２接合孔には、第１ケースと第２ケースとを接合すると共に弾性材で構成された接合ピンが、圧接状態で装填されていることを特徴とする。
【０００６】
この構成によれば、第１接合孔および第２接合孔に装填される接合ピンが弾性材で構成されているため、第１・第２両接合孔に装填される際に適宜変形する。このため、接合孔を損傷させることなく接合ピンを装填することができ、且つ所定の接合強度を得ることができる。また、落下による衝撃等が加わった場合も、接合ピンは適宜変形して衝撃を吸収する。このため、衝撃により接合ピンが接合孔から抜け出ることがなく、第１ケースと第２ケースとの間に間隙が生ずることがない。さらに、接合ピンは、弾性材で構成されているため、衝撃により折れることもない。
【０００７】
この場合、接合ピンは、第１接合孔および第２接合孔に対し離脱可能に装填されていることを特徴とする。
【０００８】
この構成によれば、接合ピンを離脱させることで格納ケースを分解することができ、また、接合ピンを装填することで格納ケースを組み立てることができる。このため、収納物が消耗品である場合等では、収納物を詰替えることができ、格納ケースを再利用可能に構成することができる。
【０００９】
この場合、接合ピンは、接合端面同士を突き合わせた第１ケースおよび第２ケースの第１接合孔および第２接合孔に対し、軸方向に直交する方向から装填されるようになっており、第１接合孔は、周面の一部が軸方向に沿ってケース外部に開放されるように第１ケースに切欠き形成した第１装填開口を有し、第２接合孔は、周面の一部が軸方向に沿ってケース外部に開放されるように且つ第１装填開口に合致するように第２ケースに切欠き形成した第２装填開口を有していることが、好ましい。
【００１０】
これに対応して、本発明の格納ケースの組立方法は、第１接合孔と第２接合孔とが合致するように第１ケースと第２ケースとを突合せる位置合わせ工程と、接合ピンを細長に伸張させる伸張工程と、伸張させた接合ピンを、第１装填開口および第２装填開口を介して第１接合孔および第２接合孔に遊挿する遊挿工程と、遊挿した接合ピンの伸張状態を解除し、接合ピンを第１接合孔および第２接合孔に圧接させる装填工程と、を備えたことを特徴とする。
【００１１】
この構成によれば、接合ピンを細長に引き伸ばしておいて、軸方向に直交する方向からに第１接合孔および第２接合孔に同時に装填することができるため、弾性材である接合ピンを、第１接合孔および第２接合孔に簡単に装填することができ、且つ伸張解除後の圧接により十分な接合強度を得ることができる。すなわち、接合ピンの弾力性を活用して、第１ケースと第２ケースとを十分な接合強度をもって簡単に組み立てることができる。
【００１２】
同様に、本発明の他の格納ケースの組立方法は、第１接合孔と第２接合孔とが合致するように第１ケースと第２ケースとを突合せる位置合わせ工程と、接合ピンを、第１装填開口および第２装填開口を介して第１接合孔および第２接合孔に押し入れる装填工程と、を備えたことを特徴とする。
【００１３】
この構成によれば、接合ピンを、両装填開口を介して両接合孔に押し入れることで、接合ピンが弾性変形して各接合孔に装填される。これにより、接合ピンの装填、すなわち両ケースの組立てを簡単に行うことができる。
【００１４】
一方、他の形態の接合ピンは、接合端面同士を突き合わせた第１ケースおよび第２ケースの第１接合孔および第２接合孔に対し、軸方向に先端から装填されるようになっており、接合ピンは、その軸心に、装填用治具が挿入されると共に先端近傍まで延びる有底の治具受け穴を有していることが、好ましい。
【００１５】
これに対応して、本発明の格納ケースの組立方法は、第１接合孔と第２接合孔とが合致するように第１ケースと第２ケースとを突合せる位置合わせ工程と、装填用治具を接合ピンの治具受け穴に挿入し、この状態で装填用治具により、接合ピンを第１接合孔および第２接合孔に軸方向から圧入する装填工程と、を備えたことを特徴とする。
【００１６】
この構成によれば、接合ピンの治具受け穴に装填用治具を挿入した状態で、接合ピンを第１接合孔および第２接合孔に押し入れると、装填用治具による押入れ力は接合ピンの先端部に作用する。このため、接合ピンは、先端部から引っ張られる場合と同様の挿入形態で、両接合孔に装填される。これにより、弾性材で構成された接合ピンを両接合孔に円滑且つ簡単に装填することができ、両ケースを簡単に組み立てることができる。
【発明を実施するための最良の形態】
【００１７】
以下、添付の図面に基づいて、本実施形態に係る格納ケースについて説明する。この格納ケースは、テープ印刷装置に用いられるテープカートリッジのカートリッジケースである。このカートリッジケースは、その内部に印刷テープおよびインクリボンを着脱可能に収納したテープカートリッジの外殻をなす２分割構造となっている。また、このカートリッジケースは、再利用可能となっており、カートリッジケースを分解することにより、その内部に収容した印刷テープおよびインクリボンを詰替えることができる。以下の説明では、先ず、テープカートリッジを収容するテープ印刷装置から簡単に説明する。
【００１８】
図１および図２に示すように、テープ印刷装置１は、装置ケース２により外殻が形成され、装置ケース２の前半部上面には、各種キー４を備えたキーボード５が配設されている。装置ケース２の後半部左上面には、開閉蓋６が広く設けられ、開閉蓋６の前側にはこれを開放する蓋体開放ボタン８が設けられている。装置ケース２の後半部右上面には、キーボード５からの入力結果等を表示する長方形のディスプレイ９が形成されている。
【００１９】
開閉蓋６を開放したその内部には、テープカートリッジＣが装着されるカートリッジ装着部１０が窪入形成されている。カートリッジ装着部１０には、テープカートリッジＣから繰り出される印刷テープＴに、熱転写による印刷を行うサーマルヘッド１５が設けられている。
【００２０】
装置ケース２の左側部には、カートリッジ装着部１０と装置外部とを連通するテープ排出口１７が形成されている。このテープ排出口１７に臨むように、装置ケース２には、カッタモータにより駆動するカッタユニット１８が内蔵されている。これにより、印刷処理後の印刷テープＴの印刷済み部分が切断され、ラベルが作成される。
【００２１】
次に、図２および図３を参照して、テープカートリッジＣについて詳細に説明する。テープカートリッジＣは、上ケース２５（第１ケース）と下ケース２６（第２ケース）とから成る樹脂製のカートリッジケース２７により、その外殻が形成されている。カートリッジケース２７の内部には、テープ収容部３０とリボン収容部３１とが構成されている。
【００２２】
テープ収容部３０には、印刷テープＴを繰出し自在に巻回したテープリール３５が収容されている。リボン収容部３１には、インクリボンＲを繰出し自在に巻回したリボン繰出しリール３６と、使用後のインクリボンＲを巻取り自在に巻回したリボン巻取りリール３７と、が収容されており、また繰出し・巻取り両リール３６、３７から離間してリボン収容部３１には、テープ送りローラを兼ねるプラテンローラ３８が収容されている。そして、これらテープリール３５、リボン繰出しリール３６、リボン巻取りリール３７およびプラテンローラ３８は、上ケース２５および下ケース２６に形成された軸突起や嵌合孔にそれぞれ回転自在に軸支されている。そして、上ケース２５および下ケース２６を分解して、これら各リール３５、３６、３７およびプラテンローラ３８を詰替え可能に構成されている。
【００２３】
リボン収容部３１の図示左側部に位置して、下ケース２６には、サーマルヘッド１５が臨む下ヘッド開口４０が形成され、上ケース２５には、下ヘッド開口４０に対応する位置に上ヘッド開口４１が形成されている。また、下ヘッド開口４０の縁部には、ガイド壁４２が突出形成されている。
【００２４】
テープリール３５に巻回されている印刷テープＴは、テープリール３５から繰り出されてプラテンローラ３８に至ると共に、リボン繰出しリール３６に巻回されているインクリボンＲは、リボン繰出しリール３６から繰り出されてプラテンローラ３８に至る。印刷テープＴおよびインクリボンＲは、プラテンローラ３８の位置で重なって併走すると共に、サーマルヘッド１５に挟持される。この状態で、サーマルヘッド１５は、インクリボンＲのインクを印刷テープＴに熱転写することにより、印刷テープＴへ印刷を行う。印刷が行われた印刷テープＴの印刷済み部分は、カートリッジケース２７の送出しスリット４３を通過して、テープ印刷装置１のテープ排出口１７から随時装置ケース２外部に送り出される。
【００２５】
次に、図３を参照して、カートリッジケース２７の接合形態について説明する。本実施形態のカートリッジケース２７は、上ケース２５と下ケース２６とからなる２分割構造のものとなっており、上ケース２５は、天壁部５０と上周壁部５１とで一体に形成され、下ケース２６は、底壁部５２と下周壁部５３とで一体に形成されている。上ケース２５と下ケース２６とは、これとは別体に形成した接合ピン５６により接合されており、接合ピン５６は、上ケース２５の上周壁部５１の端面５４ａ（接合端面）と下ケース２６の下周壁部５３の端面５４ｂ（接合端面）とを突き合わせた状態で接合している。
【００２６】
上ケース２５には、その上周壁部５１の端面５４ａに５個の上接合孔６０（第１接合孔）が貫通形成されている。また、各上接合孔６０は、その内周面の一部が軸方向に沿って上ケース２５外部に開放されるように上周壁部５１の外壁面に切欠き形成した上装填開口７０（第１装填開口）を有している。同様に、下ケース２６の下周壁部５３の端面５４ｂには、５個の上接合孔６０に対応して５個の下接合孔６１（第２接合孔）が貫通形成されている。また、各下接合孔６１は、その内周面の一部が軸方向に沿って下ケース２６外部に開放されるように下周壁部５３の外壁面に切欠き形成した下装填開口７１（第２装填開口）を有している。
【００２７】
各上接合孔６０は、上周壁部５１の端面５４ａに対し直交方向に貫通形成され、同様に、各下接合孔６１も、下周壁部５３の端面５４ｂに対し直交方向に貫通形成されている。また、対応する各上接合孔６０および各下接合孔６１は、相互に同軸上に位置し且つ同径に形成されている。上装填開口７０および下装填開口７１は、上ケース２５および下ケース２６の接合状態において、相互に連なって上下に延在するよう合致して形成されており、上下両装填開口７０、７１の切欠き幅は、上下両接合孔６０、６１の直径よりも幅狭に形成されている。すなわち、上接合孔６０および下接合孔６１は、それぞれ断面「Ｃ」字状に形成されている。
【００２８】
上下両ケース２５、２６にそれぞれ一体に形成（成形）された上下両接合孔６０、６１に対し、接合ピン５６は、ゴム等の弾性材で構成され、定常状態において、上下両接合孔６０、６１の径よりも僅かに太径の円柱状に形成（設計）されている。そして、接合ピン５６は、上下両装填開口７０、７１の幅よりも幅狭になるよう軸方向に細長に伸張され、この状態において、上下両装填開口７０、７１を介して上下両接合孔６０、６１にセットされる。この後、接合ピン５６の伸張を解除することで、接合ピン５６は元の太さに戻り、上下両接合孔６０、６１に接合ピン５６が圧接することで、上ケース２５と下ケース２６とが所定の接合強度をもって接合される。
【００２９】
なお、カートリッジケース２７の分解時において接合ピン５６を取り外すことを考慮し、接合ピン５６の長さを、上下両ケース２５、２６の接合状態において、接合ピン５６の両端部を保持可能に僅かに突出するように上接合孔６０と下接合孔６１とを合わせた長さよりも僅かに長く形成してもよい（詳細は後述）。また、図示は省略するが、接合ピン５６の両端部には、接合した上下両ケース２５、２６の外面を押さえる一対の押え部を設けるようにしてもよい。これにより、上下両ケース２５、２６の接合状態を維持することができると共に、カートリッジケース２７の分解時において、一対の押え部を保持することができる。ここで、一対の押え部は、例えば、半球状に形成してもよいし、円盤状に形成してもよい。また、カートリッジケース２７の分解を考慮しない場合には、上接合孔６０と下接合孔６１とを合わせた長さと同長かあるいは僅かに短く形成し、圧入状態で上下両ケース２５、２６から突出しないようにしてもよい。
【００３０】
次に、図４を参照して、図外の組立装置によりカートリッジケース２７を組み立てる一連の動作について説明する。このカートリッジケース２７の組立方法は、上接合孔６０と下接合孔６１とが合致するように上ケース２５と下ケース２６とを突合せる位置合わせ工程と、接合ピン５６を細長に伸張させる伸張工程と、伸張させた接合ピン５６を上接合孔６０および下接合孔６１に遊挿する遊挿工程と、遊挿した接合ピン５６の伸張状態を解除し、接合ピン５６を上接合孔６０および下接合孔６１に圧接させる装填工程と、を備えている。
【００３１】
位置合わせ工程では、下ケース２６に、上記したテープリール３５、リボン繰出しリール３６、リボン巻取りリール３７およびプラテンローラ３８を収容し、その上方から上ケース２５を覆い被せて、これらを軸支すると共に、下ケース２６および上ケース２５の接合端面に形成した図示しない位置決めピンおよび位置決め孔により上下両ケース２５、２６の位置決めを行い、各下接合孔２６および各上接合孔２５を合致させる。
【００３２】
伸張工程では、組立装置により各接合ピン５６の両端部を保持して軸方向に引っ張り、接合ピン５６を上下両装填開口７０、７１の幅よりも幅狭になるよう細長に伸張させ、接合ピン５６をこの状態に維持したまま遊挿工程に移行する。
【００３３】
遊挿工程では、細長状態の接合ピン５６の軸方向と、位置決めした上下両ケース２５、２６の上装填開口７０および下装填開口７１の延在方向とを平行に合わせ、軸方向に直交する方向から上下両装填開口７０、７１を介して上下両接合孔６０、６１へ遊挿する。
【００３４】
装填工程では、上下両接合孔６０、６１に臨ませた細長状態の接合ピン５６の両端部を保持しながら軸方向に収縮させてゆき、接合ピン５６の両端部が上下両ケース２５、２６近傍に位置したところで、接合ピン５６の両端部の保持を解除して、接合ピン５６の装填を完了する。このとき、接合ピン５６は、上下両接合孔６０、６１へ圧接するため、上ケース２５および下ケース２６は、所定の接合強度を持って接合される。また、上下両接合孔６０、６１に同時に装填することができるため、接合ピン５６を、上接合孔６０および下接合孔６１に簡単に装填することができる。
【００３５】
なお、上記テープカートリッジＣを分解する場合は、上下両ケース２５、２６の外面に突出した接合ピン５６の両端部を保持すると共に、接合ピン５６を軸方向に伸張し、上下両接合孔６０、６１から上下両装填開口７０、７１を介して上下両ケース２５、２６の外部へ接合ピン５６を移動させる。これにより、接合ピン５６を離脱可能とすることができる。
【００３６】
以上の構成によれば、上接合孔６０および下接合孔６１に装填される接合ピン５６が弾性材で構成されているため、上下両接合孔６０、６１に装填される際に適宜変形する。このため、上下両接合孔６０、６１を損傷させることなく接合ピン５６を装填することができると共に、所定の接合強度を得ることができる。また、落下による衝撃等が加わった場合も、接合ピン５６は適宜変形して衝撃を吸収する。このため、衝撃により接合ピン５６が上下両接合孔６０、６１から抜け出ることがなく、また、上ケース２５と下ケース２６との間に間隙が生ずることがない。さらに、接合ピン５６は、弾性材で構成されているため、衝撃により折れることもない。
【００３７】
なお、本実施形態では、接合ピン５６を伸張して上下両接合孔６０、６１にセットし、この後、伸張を解除して上下両接合孔６０、６１に圧接したが、これに限らず、以下の組立方法でカートリッジケースを組み立てても良い。
【００３８】
図５に示すように、このカートリッジケース２７の組立方法は、上接合孔６０と下接合孔６１とが合致するように上ケース２５と下ケース２６とを突合せる位置合わせ工程と、接合ピン５６を、上装填開口７０および下装填開口７１を介して上接合孔６０および下接合孔６１に押し入れる装填工程と、を備えている。
【００３９】
位置合わせ工程では、上記と同様に、各下接合孔２６および各上接合孔２５を合致させてこれらを位置決めする。装填工程は、接合ピン５６の軸方向と、位置決めした上下両ケース２５、２６の上装填開口７０および下装填開口７１の延在方向とを平行に合わせ、定常状態の接合ピン５６を、上下両ケース２５、２６の外壁面から軸方向に直交する方向へ上下両装填開口７０、７１を介して上下両接合孔６０、６１へ押し入れる。すると、接合ピン５６は、弾性変形して上下両装填開口７０、７１を通過し、上下両接合孔６０、６１に接合ピン５６が圧接される。これにより、より簡単に接合ピン５６を上下両接合孔６０、６１に装填することができる。
【００４０】
なお、接合ピン５６を押し入れる際、接合ピン５６の軸を中心として周方向に回転させながら押し入れる方がより好ましい。また、上記のように断面「Ｃ」字状に形成された各接合孔６０、６１に接合ピン５６を押し入れて装填する場合、各装填開口７０、７１の開口廻りが損傷する虞があるため、図５（ｂ）に示すように、上下両接合孔６０、６１の断面を鍵穴状（上下両装填開口７０、７１の縁部を厚く）に形成しても良い。これによれば、各装填開口７０、７１の開口廻りを強固に形成することができるため、上下両接合孔６０、６１に接合ピン５６を押し入れて装填する場合に、各装填開口７０、７１の開口廻りが損傷することがない。
【００４１】
次に、図６を参照して、第２実施形態に係るカートリッジケース２７について説明する。なお、重複した記載を避けるため、異なる部分について主に説明する。このカートリッジケース２７の接合ピン５６は、その軸心に有底の治具受け穴７５が形成されており、治具受け穴７５は、接合ピン５６の後端から先端近傍にまで伸びている。この治具受け穴７５には、金属等で構成された棒状の装填用治具７６が挿入され、装填用治具７６は、その径が治具受け穴７５に嵌合するよう同径に形成されると共に、その長さが治具受け穴７５の深さよりも長く形成されている。これにより、装填用治具７６の先端は、治具受け穴７５の底部に当接する。なお、接合ピン５６は、上接合孔６０および下接合孔６１を合わせた長さと同長かあるいは僅かに短く形成されている。また、第１実施形態の上下両装填開口７０、７１は、本実施形態において設ける必要はない。
【００４２】
この接合ピン５６を用いたカートリッジケース２７の組立方法は、上接合孔６０と下接合孔６１とが合致するように上ケース２５と下ケース２６を突合せる位置合わせ工程と、装填用治具７６を接合ピン５６の治具受け穴７５に挿入し、この状態で装填用治具７６により、接合ピン５６を上接合孔６０および下接合孔６１に軸方向から圧入する装填工程と、を備えている。
【００４３】
位置合わせ工程では、第１実施形態と同様に、各下接合孔２６および各上接合孔２５を合致させてこれらを位置決めする。装填工程では、接合ピン５６の後端から治具受け穴７５に装填用治具７６を挿入し、装填用治具７６の先端を治具受け穴７５の底部に当接させて装着する。この状態で、接合ピン５６を、その先端から上下両接合孔６０、６１に向けて圧入する。すると、接合ピン５６は、その先端が装填用治具７６により押し入れられるため、接合ピン５６の後端を押して挿入した場合と比べると、接合ピン５６の後端が撓むことなく挿入される。すなわち、接合ピン５６の先端を引っ張りながら挿入することと同様の挿入形態となる。そして、接合ピン５６の上端が上接合孔６０に納まった状態で圧入を完了する。この状態では、接合ピン５６の両端は、天壁部５０の上面および底壁部５２の下面と面一、或いは僅かに没入した状態となる。これにより、接合ピン５６を上下両接合孔６０、６１に対し円滑且つ簡単に装填することができ、上下両ケース２５、２６を簡単に組み立てることができる。
【００４４】
なお、図示は省略するが、テープカートリッジ２７を分解する際は、治具受け穴７５に分解用治具を挿入して分解を行う。すなわち、分解用治具は、治具受け穴７５に嵌合するよう同径に形成されると共に、その長さは、上下両接合孔６０、６１から接合ピン５６を離脱させることが可能な長さに形成されている。具体的には、分解用治具の長さは、治具受け穴７５の長さと上下両接合孔６０、６１の長さとを合わせた長さよりも長く形成されている。
【００４５】
また、上記の実施形態では、印刷テープＴ、インクリボンＲおよびプラテンローラ３８を収容するカートリッジケース２７について説明したが、本発明はこれに限定されるものではなく、例えばインクを収容するカートリッジケース２７にも適用可能である。また、圧入箇所も上記の実施形態に限定されるものではなく、例えばカートリッジケース２７がヒンジ部で連結された簡易なものである場合には、圧入箇所を１或いは２箇所としてもよい。
【図面の簡単な説明】
【００４６】
【図１】本実施形態に係る閉蓋状態の印刷装置の外観斜視図である。
【図２】本実施形態に係る開蓋状態の印刷装置の外観斜視図である。
【図３】（ａ）は、本実施形態に係るカートリッジケースの平面模式図であり、（ｂ）は、カートリッジケースのＡ−Ａ’断面模式図である。
【図４】カートリッジケースの組立方法に関する説明図である。
【図５】（ａ）は、他のカートリッジケースの組立方法に関する説明図であり、（ｂ）は、上下両接合孔廻りの模式図である。
【図６】（ａ）は、第２実施形態に係るカートリッジケースの平面模式図であり、（ｂ）は、カートリッジケースのＡ−Ａ’断面模式図である。
【図７】第２実施形態に係るカートリッジケースの組立方法に関する説明図である。
【符号の説明】
【００４７】
２５…上ケース  ２６…下ケース  ２７…カートリッジケース  ５４ａ…上周壁部の端面  ５４ｂ…下周壁部の端面  ５６…接合ピン  ６０…上接合孔  ６１…下接合孔  ７０…上装填開口  ７１…下装填開口  ７５…治具受け穴  ７６…装填用治具
【図１】
2007308171.tif 000003
【図２】
2007308171.tif 000004
【図３】
2007308171.tif 000005
【図４】
2007308171.tif 000006
【図５】
2007308171.tif 000007
【図６】
2007308171.tif 000008
【図７】
2007308171.tif 000009